(57)【特許請求の範囲】
【請求項１】
内輪と、外輪と、内外輪間に介装された複数の玉と、環状体の一側面の円周上に、一方に開口して上記玉を保持するポケット部が所定間隔で複数個配設され、かつ上記各ポケット部の円周方向両端縁にそれぞれ環状体の軸方向に突出する玉脱落防止用爪部が形成された合成樹脂製冠形保持器とを有する玉軸受において、上記冠形保持器のポケット部を構成する爪部背面間の環状体一側面は、この環状体外径部から内径部にいたり環状体の他端面側に向かって半径方向に対し傾斜する傾斜面を有し、前記傾斜面の最外径側は、環状体の上記一側面において軸方向最外側となっていることを特徴とする玉軸受。
【請求項２】
上記傾斜面の外径側に、軸直交面に平行な端面を有することを特徴とする請求項１に記載の玉軸受。
【請求項３】
上記傾斜面は、上記環状体の外周面に直接連続していることを特徴とする請求項１に記載の玉軸受。
【請求項４】
上記傾斜面の傾斜角度は、半径方向線に対して２５度〜４５度の範囲に設定されていることを特徴とする請求項１ないし３のいずれかに記載の玉軸受。
【請求項５】
上記合成樹脂製冠形保持器の玉脱落防止用爪部の肉厚を、内径側よりも外径側が厚くなるように形成することにより、各爪部背面間の円周方向間隔を外径側で内径側より狭まるようにしたことを特徴とする請求項１ないし４のいずれかに記載の玉軸受。
【発明の詳細な説明】
【０００１】
【発明の属する技術分野】
本発明は、合成樹脂製冠形保持器が使用された玉軸受、例えばハードディスクドライブ（一般にＨＤＤという）のスピンドルモータ用に使用される玉軸受に関する。
【０００２】
【従来の技術】
従来の例えばＨＤＤスピンドル用玉軸受は、図６に示すように環状体６５の一側面６５ａの円周上に、一方に開口して内外輪６１，６２間の玉６３を保持するポケット部６６が所定間隔で複数個配設され、かつ上記ポケット部６６の円周方向両端縁にそれぞれ環状体６５の軸方向に突出する玉脱落用爪部６７が形成された合成樹脂製冠形保持器６４が使用されることが多い。なお、上記環状体６５の一側面６５ａは、軸受の軸線に対して直交する平坦面に形成されている。そして、上記爪部６７背面間の環状体の一側面６５ａ上には、所要量のグリース６８が保持されている。
【０００３】
また、図７に示すように、図６の合成樹脂製冠形保持器６４において、爪部６７背面間の環状体６５の一側面６５ａに軸方向凸部６９が形成された構成のものも知られている。この保持器６４においても、爪部６７背面間にグリース６８が保持されている。
【０００４】
【発明が解決しようとする課題】
上記図６の従来例では、玉軸受の回転数、特にＨＤＤスピンドルのように高速化が進むにつれて、遠心力によるグリース６８の飛散が大きくなる。この結果、外輪６２側へのグリース６８供給が過剰となってグリース６８の撹拌抵抗が大きくなり、玉軸受の回転トルクが大きくなるという問題があった。
【０００５】
さらに、上記図７の従来例では、爪部６７背面の凸部６９にてグリース６８飛散がある程度規制されるが、逆にグリース６８の外輪６２側への供給量の調整が難しく、グリース６８の供給量が極端に減少すると潤滑不足により軸受寿命が短くなってしまうという問題があった。
【０００６】
本発明は、上記する課題に対処するためになされたものであり、大幅なグリース飛散の解消にて軸受の回転トルクの増加を極力抑えるとともに、グリースが徐々に外輪側へ供給するようにして潤滑不足を防止する合成樹脂製保持器を提供することを目的としている。
【０００７】
【課題を解決するための手段】
この発明は、請求項１においては、内輪と、外輪と、内外輪間に介装された複数の玉と、環状体の一側面の円周上に、一方に開口して上記玉を保持するポケット部が所定間隔で複数個配設され、かつ上記各ポケット部の円周方向両端縁にそれぞれ環状体の軸方向に突出する玉脱落防止用爪部が形成された合成樹脂製冠形保持器とを有する玉軸受において、上記冠形保持器のポケット部を構成する爪部背面間の環状体一側面は、この環状体外径部から内径部にいたり環状体の他端面側に向かって半径方向に対し傾斜する傾斜面を有し、前記傾斜面の最外径側は、環状体の上記一側面において軸方向最外側となっていることを特徴とする。
【０００８】
請求項２では、上記傾斜面の外径側に、軸直交面に平行な端面を有する。請求項３では、上記傾斜面は、上記環状体の外周面に直接連続している。請求項４では、上記傾斜面の傾斜角度は、半径方向線に対して２５度〜４５度の範囲に設定されている。また請求項５の発明においては、上記合成樹脂製冠形保持器の玉脱落防止用爪部の肉厚を、内径側よりも外径側が厚くなるように形成することにより、各爪部背面間の円周方向間隔を外径側で内径側より狭まるようにしたことを特徴とする。
【０００９】
【発明の実施の形態】
図１ないし図３は玉軸受の一実施形態であり、内輪１と、外輪２と、内外輪１，２間に介装された複数の玉３と、環状体５の一側面５ａの円周上に、一方に開口して上記玉３を保持するポケット部６が所定間隔で複数個配設され、かつ上記各ポケット部６の円周方向両端縁にそれぞれ環状体５の軸方向に突出する玉脱落防止用爪部７が形成された合成樹脂製冠形保持器４とを有する。さらに、上記冠形保持器４のポケット部６を構成する爪部７背面７ａ間の環状体一側面５ａを、この環状体５外径部から内径部にいたり環状体５の他端面側５ｂに向かって傾斜する傾斜面８とされている。この傾斜面８には、金型成型後に保持器４を離型させるための突き出しピン用凹部９が設けられている。
【００１０】
本発明は、上記保持器４構成であり、図１に示されるように、保持器４を構成する環状体５の一側面５ａの外径側に接触して位置決めされたグリース封入治具１０よりグリース１１が供給される。この供給されたグリース１１は、上記傾斜面８に沿って内輪１側に流動して保持される。このとき、上記突き出しピン用凹部９もグリース保持部として作用する。
なお、本発明において、グリース１１を上記のように、あらかじめ内輪１側に保持されると、図８に示されるように図６の従来品に比較して、回転トルクに大きな相違があることが認められた。
【００１１】
また、上記の保持されたグリース１１は、軸受回転時の遠心力により上記傾斜面８を通じて徐々に外輪２側に供給され、外輪２側の潤滑不足が解消されて軸受寿命への悪影響が防止される。
さらには、上記突き出しピン用凹部９は、グリース溜りとして、外輪２側へのグリース１１の流れを調整するのに役立つ。
【００１２】
なお、保持器４の爪部７背面７ａ間の環状体５の一側面５ａは、図１に示されるように、外輪２の軌道面２ａの最底部２ｂから外輪２軌道面２ａの端部２ｃまでの軸方向距離Ｌの約半分の位置にあるのが、上記傾斜面８との相互作用により、回転トルクが低くなるとともに、外輪２側へのグリース１１の供給が徐々に行われて潤滑不良が防止される。
【００１３】
さらに、上記保持器４の爪部７間の上記傾斜面８の傾斜角度は、玉３の中心を通る半径方向線Ｙ−Ｙに対し、２５度〜４５度の範囲が最適である。上記傾斜角度が２５度未満であると、グリース１１が内輪１側に保持されにくくかつ外輪２側へ供給されにくい。また逆に、傾斜角度が４５度を超えると、保持器４強度が低下しやすい。
【００１４】
また、図４および図５は別の実施形態である。この合成樹脂製保持器は、上記図１ないし図３に示した保持器構造と基本的に同一であるため、同一符号を付して重複説明を省き、相違点のみを説明する。玉脱落防止用爪部７の背面７ａが、ポケット部６の曲率中心Ｏ１より保持器４外径側に曲率中心Ｏ２を有する円弧で形成されている。このため、爪部７の内径側の肉厚Ｔ１より外径側の肉厚Ｔ２が厚くされるとともに、各爪部７の背面７ａ間の円周方向間隔が、外径側間隔Ｓ２＜内径側間隔Ｓ１と外径側で狭まるように形成されている。この構成により、グリース１１の外輪側への飛散防止効果向上させるとともに、爪部７の強度向上が図れる。なお、爪部７の背面７ａ間の外径側間隔を狭める構成は上記実施形態に限られないことはもちろんである。
【００１５】
【発明の効果】
本発明は、請求項１においては、保持器の爪部間における環状体の一側面は、この環状体外径部から内径部にいたり環状体の他端面側に向かって半径方向に対し傾斜する傾斜面を有し、前記傾斜面の最外径側は、環状体の上記一側面において軸方向最外側となっている構成としたため、傾斜面を利用した内輪側へのグリース保持が容易になり、グリースの飛散が防止され、軸受の回転トルクの増加が防止される。さらに、グリースは、上記傾斜面を通じて徐々に外輪側に供給されることが可能となるため、外輪側での潤滑不足が防止される。
【００１６】
また、請求項５の発明においては、爪部の肉厚を外径側に厚くするとともに、爪部背面間の間隔を外径側に狭めたため、上記請求項１の発明の効果と相俟って保持器強度の向上とグリースの外輪側への飛散防止がより図れる。
【図面の簡単な説明】
【図１】本発明の一実施形態の玉軸受の断面図である。
【図２】図１の合成樹脂製冠形保持器の一部斜視図である。
【図３】図２におけるＡ−Ａ断面図である。
【図４】本発明の他の実施形態の保持器斜視図である。
【図５】図４の保持器の平面図である。
【図６】従来の玉軸受の断面図である。
【図７】従来の別の玉軸受の断面図である。
【図８】本発明と図６の従来玉軸受との回転トルクの経過比較グラフである。
【図１】
0003751771.tif 000002
【図２】
0003751771.tif 000003
【図３】
0003751771.tif 000004
【図４】
0003751771.tif 000005
【図５】
0003751771.tif 000006
【図６】
0003751771.tif 000007
【図７】
0003751771.tif 000008
【図８】
0003751771.tif 000009